(57)【要約】【課題】現像装置に設ける現像ローラに、トナーの薄層を形成するためのブレード部材を、現像装置フレームに対して取り付けるに際して、ブレード部材をネジ固定する部分で、ブレードを湾曲させる力が付与されないよう保持させる。【解決手段】現像装置の感光体ドラムに対向させて、現像ローラ２５を配置し、ブレード部材３５の下端部を押圧してトナーの薄層を形成するものとして用いる。前記装置フレーム２１の開口部３０の上部に設けるブレード保持部３１に対して、複数枚の薄い板を重ねた取付板３４と保持部材３８の間にブレード部材３５を挟持してネジ４０により固定する。そして、前記薄い板を重ねてブレード部材３５を挟持する状態でネジで固定保持させて、ブレードの固定部分が湾曲することなしに、ブレード部材３５の下端部を現像ローラに均一に押圧させる。【選択図】　　　　　図７
2004139019.tif 000002
【特許請求の範囲】
【請求項１】
フレームの開口部側に回転可能に取り付けられ、担持されるトナーを感光体ドラムに供給する現像ローラと、前記現像ローラに担持されるトナーを薄層に形成する層厚規制部材とを備えた現像装置であって、
前記層厚規制部材は、フレームに対して高剛性を有する複数枚の金属板で挟持して取り付けられることを特徴とする現像装置。
【請求項２】
前記層厚規制部材を挟持する複数枚の金属板は、その重ねる枚数を調整することにより、層厚規制部材の現像ローラに対する押圧力を調整可能とすることを特徴とする請求項１に記載の現像装置。
【請求項３】
前記層厚規制部材をバネ性を有する金属板で構成し、前記層厚規制部材と金属板の両端部にはシール部材を連続させるように設けることを特徴とする請求項１または２に記載の現像装置。
【発明の詳細な説明】
【０００１】
【発明の属する技術分野】
本発明は、画像形成装置に設ける現像装置に関し、特に、現像装置の現像ローラに対してトナーの薄層を形成するための層厚規制部材（ブレード）の保持手段の構成に関する。
【０００２】
【従来の技術】
ファクシミリ装置や電子写真複写機または、複数の機能を有する複合機として構成される画像形成装置では、電子写真方式を用いた画像形成手段を設けて、感光体ドラムに形成したトナー画像を用紙に転写して定着し、記録紙上に画像を形成している。前記画像形成装置では、感光体に対して帯電器、露光手段、現像装置、転写手段およびクリーニング手段を配置しており、前記現像装置の現像ローラからトナーを感光体ドラムに供給して、トナー画像を形成するようにしている。前記現像装置においては、トナーホッパから帯電手段により帯電させたトナーを、現像ローラに付着させてから、薄い金属板で構成した層厚規制部材としてのブレードを用い、その自由側端部（下端部）を押圧して薄層として形成し、感光体ドラムに対向する位置に露出させている。前記ブレードは、現像装置フレームの現像ローラが位置する開口の上部にネジ止めされて設けられ、そのブレードの自由側端部を、金属板のバネ性を利用して現像ローラの表面に対して所定の押圧力で押圧させるような作用を行う。そして、前記ブレード部材により、現像ローラの表面に付着させるトナーの薄層を、所定の厚さのものとして形成するとともに、前記開口部のシール作用を行い得るように構成している（例えば、特許文献１を参照）。
【０００３】
【特許文献１】
特開２００１−１９４９０２
【０００４】
【発明が解決しようとする課題】
前記ブレード部材の上部がネジ固定され、両側部が現像装置の開口部の側部に設けられたシール部材に背面から押圧され、さらに、前記ブレードの下端部が現像ローラに対して、その正面側から押圧されている状態で、前記現像装置のフレーム開口部が塞がれた状態にされる。前記ブレード部材は、現像装置のフレームに設けたブレード固定部に対して、所定の間隔で取付ける複数のネジにより、固定保持されているものであるが、薄い金属板で構成したブレード部材の上部をネジで固定すると、そのネジ固定部の間が浮き上がるようになるという不都合が発生することがある。例えば、前記ネジ固定部の間で一部が湾曲する状態が生じたり、全体に固定部が波打ち状に湾曲することがあり、それによって、現像ローラの表面に対してブレード部材の自由側端部（以下、下端部と呼ぶ）が均一に押圧されず、現像ローラ表面に形成する薄層が、一定の厚さにできないという問題がある。
【０００５】
前記従来例のように、ブレード部材を現像装置フレームの開口部に取り付けた状態では、上端部の波打ち状態や、下端部での現像ローラからの反力、および、弾性体で構成される側部シール部材が、ブレード部材の側部に対して背面側から不均一な反発力として各々作用するという問題がある。したがって、前記フレームの開口部の周囲部分を良好な状態でシールすることが困難であり、トナーが漏れ出したりすることを完全に阻止できず、漏れ出したトナーが書き込み装置の光出力部に付着したりして、記録紙に再現された画像に欠陥が生じる等の問題が生じやすい。
【０００６】
本発明は、前記現像ローラに対するブレード部材の取り付け構造を改善し、ブレード部材の下端部が現像ローラに対して均一に当接して、トナーの薄層の形成作用を良好に行い得るような装置を提供することを目的としている。
【０００７】
【課題を解決するための手段】
本発明は、フレームの開口部側に回転可能に取り付けられ、担持されるトナーを感光体ドラムに供給する現像ローラと、前記現像ローラに担持されるトナーを薄層に形成する層厚規制部材とを備えた現像装置に関する。請求項１の発明は、前記層厚規制部材は、フレームに対して高剛性を有する複数枚の金属板で挟持して取り付けられることを特徴とする。そして、前述したように構成したことにより、ブレード部材の上部のネジ固定部での保持を良好に行い得て、ブレード部材の下端部の現像ローラに対する押圧力を均一に設定できる。
【０００８】
請求項２の発明は、前記層厚規制部材を挟持する複数枚の金属板は、その重ねる枚数を調整することにより、層厚規制部材の現像ローラに対する押圧力を調整可能とすることを特徴とする。したがって、ブレード部材の取り付け部の信頼性をより向上させることができる。
【０００９】
請求項３の発明は、前記層厚規制部材をバネ性を有する金属板で構成し、前記層厚規制部材と金属板の両端部にはシール部材を連続させるように設けることを特徴とする。そして、フレームの開口側部に設けたシール手段と、ブレード部材の側部のシール部材とにより、トナーが漏れ出すことを阻止する作用を発揮できる。
【００１０】
【発明の実施の形態】
以下図面を参照して、本発明の実施の形態について説明するが、まず、本発明の装置を適用可能な画像記録装置の構成を図１にもとづいて説明する。図１に示す画像記録装置１は、小型の装置として構成しているもので、装置本体の下部に設ける給紙部２には、任意のサイズの用紙を収容可能な給紙トレイ３を装着し、給紙ローラ４により用紙を１枚ずつ取り出して用紙搬送路５に向けて給紙する。前記用紙搬送路５には、搬送ローラ装置５ａ、５ｂを所定の間隔を持って配置しており、用紙搬送路５内を搬送される用紙は、記録部７を通る際にトナー画像が転写され、定着装置８により定着されて記録紙が作成され、排出ローラ装置９により排出トレイ９ａに排出される。また、前記給紙トレイ３からの給紙系統の他に、装置の側部に開閉可能な手差しトレイ６を配置しており、定型サイズ以外の用紙類を用いて記録紙を作成する場合等に、前記手差しトレイ６から用紙を挿入して、給紙ローラ６ａにより用紙搬送路５に向けて給紙することもできるようにしている。
【００１１】
前記画像記録装置１において、記録部７には、感光体ドラム１２を設けた感光体ユニット１０と、トナーを感光体ドラム１２に供給するための現像器ユニット２０とを配置しており、前記２つのユニット１０、２０は、図２、３に示すように組み合わせられて装置本体の記録部７に装着される。前記感光体ユニット１０においては、ユニットフレーム１１に軸１３を介して支持される感光体ドラム１２に対して、帯電部材１５とメモリ除去部材１４とを配置している。また、前記感光体ドラム１２の上部に対応する位置には書き込み手段１６を、下部には転写部材１７をそれぞれ配置し、図の時計方向に回転される感光体ドラム１２に対して、書き込み手段の下流側に、現像器ユニット２０の現像ローラ２５を位置させている。
【００１２】
前記感光体ユニット１０においては、帯電手段としての帯電ローラ１５により、感光体ドラム１２に所定の電圧を印加して、ＬＥＤ等により構成される書き込み手段１６から、画像の光を照射して静電潜像を形成する。そして、前記感光体ドラム１２の静電潜像に対して、現像ローラ２５からトナーを供給してトナー画像を形成し、転写ローラ１７と感光体ドラム１２の間に挟持されて搬送される用紙に対して、前記転写ローラ１７に所定の電位を供給して、前記トナー画像を用紙に転写する。前記トナー画像が転写された用紙は、定着装置８に向けて搬送され、定着されて記録紙として排出される。また、前記用紙にトナー画像を転写した後で、感光体ドラムに付着して残留するトナー等は、メモリ除去部材１４のブラシにより掻き乱されて、付着力が弱められて一様に分散された後で、帯電ローラ１５により所定の電位に帯電される。
【００１３】
前記現像器ユニット２０においては、トナーホッパ２２の内部に収容しているトナーを、軸２３ａに設けたパドル２３により攪拌しながら、供給ローラ２４に向けて送り出すように動作させるもので、感光体ドラム１２に対応させて配置する現像ローラ２５により、トナーを供給するように組み合わせている。そして、前記供給ローラ２４と現像ローラ２５の間でトナーを摺擦しながら、所定の電位を印加してトナーを帯電させて、現像ローラ２５の表面に付着させ、ブレード部材３５により薄層として形成する。前記現像ローラ２５に担持されるトナーは、感光体ドラム１２の静電潜像に向けて供給されるが、その後に現像ローラの表面に残留するトナーは、供給ローラ２４との間で、新規に供給されるトナーと混合されて再び帯電作用が付与され、現像領域に向けて供給される。
【００１４】
前記感光体ユニット１０と現像器ユニット２０とを組み合わせて、感光体ドラム１２と現像ローラ２５とを所定の位置に位置決めして保持させるために、図３に示すように、接続部ホルダ２７を、ユニットフレーム２１から突出させる状態に設けたものを用いている。前記接続部ホルダ２７には感光体ドラム１２の軸１３を挿入する溝２８を設けており、前記溝２８内に感光体ドラム１２の軸を挿入することにより、現像器ユニット２０に対してユニット１０を組み合わせ、両ユニット１０、２０を記録部７に対して正確に位置決めすることができる。なお、前記２つのユニット１０、２０は、それぞれが装置本体の記録部に対して、図示を省略する位置決め手段を用いて各々支持させることもできるものであり、１つのユニットを交換する際に、他のユニットに組み合わせて装着することで、別のユニットと組み合わせができれば、特にそのユニットの記録部への位置決め手段は、任意に構成することが可能である。
【００１５】
前述したように構成された現像器ユニット２０において、現像ローラ２５を感光体ドラム１２に向けて露出させるフレーム２１の開口部３０には、図４ないし図７に示すように、開口部３０の上部分に設けたブレード取付部３１に、ブレード部材３５を保持するためのブレード保持部材３３を設けている。前記開口部３０の周囲のフレームの側枠部材２１ａの表面側（感光体ドラム１５側）には、略ロ形状のシール部材３２を第１のシール部材として貼り付けて設けている。図４に示すように、ブレード取付部３１に対応する部分では、前記シール部材３２は、連続気泡の発泡体で構成されるもので、ブレード部材３５を固定する際の圧縮作用により気泡が潰されて、トナースルー（トナーの漏れ出し）が生じることを防止している。
【００１６】
また、前記ブレード取付部３１の下部で、ブレードの裏面側の側部に接しないように設けられるシール部材３２ｂは、熱圧縮されているため、現像ローラ２５を開口部に取り付けても、大きな圧縮作用は付与されずに、その材料自体の弾力性を発揮可能として、現像ローラ２５に対して局部的に強く押圧したりすることがない。そして、現像ローラ２５の表面に形成されるトナー層厚が、画像領域２５Ａに対応する位置では均一になるので、感光体ドラム１２に移転されるトナーが一定な厚さの薄層となる。したがって、現像ローラ２５から感光体ドラム１２にトナーを移転させる作用と、トナー画像を用紙に転写し、定着する動作に対して不都合な状態が発生することがなく、良好な記録画像を得ることができる。
【００１７】
なお、前記シール部材３２に対してあらかじめ圧縮処理を施さず、連続気泡の発泡体の板状のものをそのまま装着しても、ブレード取付部３１に対応するシール部材３２ａでは、ブレード部材３５を固定するために強く押圧されることにより、気泡が潰された状態で位置される。したがって、前記シール部材の気泡が潰されて圧縮された部分では、トナーの漏れ出す隙間がなくなり、押圧されないシール部材３２ｂの開口部の両端側では、後述するように、他のシール手段と協働して、トナーの漏れ出しが阻止できるようにされる。また、前記シール部材３２が現像ローラに当接する部分では、そのシール部材の表面に下部フィルム４０を貼り付けて設けており、前記下部フィルム４０に現像ローラ２５の下部が円滑に摺動するようにされる。
【００１８】
前記下部フィルム４０は現像ローラ２５の回転の抵抗とならないような、滑らかな表面を有する樹脂フィルムで構成されるもので、例えば、従来より画像形成装置の用紙搬送路等に、用紙ガイド手段として用いられているＰＥＴ（ポリエチレンテレフタレート）フィルムのようなものを用いることができる。そして、前記下部フィルム４０をシール部材３２の表面に貼り付けて設けることにより、前記シール部材３２の中を通ってトナーが漏れ出すことを阻止できるという、その構成に基づく効果を奏することもできる。
【００１９】
前記ブレード保持部材３３においては、図５に示すように、層厚規制部材としてのブレード部材３５の上部を挟持するために設けられる取付板３４が、開口部３０の上部のブレード取付部３１に向けて押圧される状態で取付けられ、ブレード部材３５の上部を保持するように配置される。さらに、前記取付板３４は保持部材３８を重ねてから、固定ネジ３３ａで固定している例で説明している。前記保持部材３８は、図７にも示されるように上側の折り曲げ部３８ａが、ブレード部材の取付部上部を覆うように配置されている。前記ブレード部材３５の両側部は、感光体ドラム２５の画像領域２５ａよりも巾が広いが、前記現像ローラ２５の長さよりも巾の狭いものとして構成され、前記ブレード部材３５の巾とほぼ同一で、開口部のシール部材３２ｂの内側面に軽く接するように設けられる。そして、前記ブレード部材３５は現像ローラ２５に対して、画像領域２５Ａの範囲ではトナーの薄層の形成を良好に行い得るような巾で設けられている。前記図５に示すように、現像ローラ２５に下端部が押圧される状態で湾曲されるブレード部材３５は、ユニットフレーム（装置フレーム）２１の開口部３０では、側枠２１ａの表面に沿うように湾曲されている。
【００２０】
前記ブレード部材３５の両側部の表面側（感光体ユニット側）には、図６（ａ）〜（ｃ）にも示すように、側フィルム３６、３６を取り付けて、前記ブレード部材３５の下端部が現像ローラ２５に押圧する状態で湾曲した際にも、前記ブレード部材３５に形成される湾曲形状にしたがって湾曲される。前記図６に示す例において、同図（ａ）はブレード部材３５と取付板３４およびシール部材３２の関係を示しており、同図（ｂ）は現像ローラ２５とブレード部材３６の関係を各々示している。また、同図（ｃ）にはブレード保持部材３３の全体の構成を説明しているが、シール部材は省略している。前記図６（ａ）および同図（ｂ）に示す例において、ブレード部材３５の両側部に設けている側フィルム３６、３６は、シール部材３２の両側の部分に対応させて設けており、前記シール部材３２の上を覆うように配置される。
【００２１】
前記ブレード部材３５の両側部の裏面側には、前記シール部材３２と同様に、発泡体で構成されるシート状のシール部材３７が、第２のシール部材として設けられている。そして、前記開口部３０に設けた第１のシール部材３２と、ブレード３５の裏面端部に設けている第２のシール部材３７とは、両者の端面が接するように位置されて、開口部３０の周囲でのシール作用を維持できるようにされる。前記シール部材３７は、独立気泡の発泡体で構成すると良く、保持部材３８によりブレード部材３５を取り付ける部分では、前記シール部材３７が押圧されて圧縮部３７ａとされる。また、前記シール部材３７の下部の圧縮されない部分では、シール部材３２に対して、弾性体同士の弾性的な押圧作用を互いに発揮し、シール作用を行い得るようにされる。
【００２２】
また、前述したように、前記ブレード部材３５の両側部の表面側に設けられる側フィルム３６、３６が、ブレード３５の側部と開口側部とを覆うように設けられていることにより、前記開口部３０の両側部に隙間が生じることを防止して、現像器ユニット２０の内部から開口部３０の隙間を通って、トナーが感光体ドラム側に漏れ出すことを防止している。すなわち、前記第１、第２のシール部材を配置したことにより、現像ローラの軸受け付近や２種類のシール部材が接している部分等の、隙間が生じやすい開口の周囲部分から、トナーが漏れ出すことを防止するとともに、トナーがシール部材の中を通り抜け（スルー）して感光体ドラム側に漏れ出すことをも防止しているのである。
【００２３】
前記図６（ｃ）および図３に示しているように、保持部材３８の両側に配置されている表面側フィルム３９、３９は、前記側フィルム３６の表面側を大きくカバーするような巾を有するものとして構成され、その下端部は現像ローラ２５に近接する位置まで延長されている。前記表面側フィルム３９は、ブレード部材３５の上部の側部からトナーが漏れ出したときに、その漏れ出したトナークラウド等が、感光体ドラムに画像情報を書き込むためのＬＥＤ等の書き込み部材１６に、影響を与えることを防止するためのもので、前記フィルム３９の下端部はできるだけ感光体ドラムに近接する位置まで延長されると、遮蔽効果を有効に発揮できる。また、前記各フィルム部材３６、３９は、前記開口部の周囲に配置しているシール部材３２と協働して、開口部３０の周囲からトナーが漏れ出すことを防止できるようにしている。さらに、前記フィルム部材としては、任意の弾性を有する薄い樹脂製のフィルムを用いることができるもので、例えば、ＰＥＴフィルム等のような薄くて透明であって、強度の大きいフィルムを使用すれば、耐久性も良好なものとすることが可能である。
【００２４】
前記ブレード部材３５の裏側（ブレード取付部３１側）に配置される取付板３４は、前記図５および図６（ａ）に示されているように、比較的厚くて剛性の大きい金属板で構成することが可能である。そして、前記ブレード部材３５の裏面側には、シール部材３２を設けて、ブレード部材３５と取付板３４の重ね部に隙間が形成されないように、シール部材３７の圧縮部３７ａを圧縮して保持する。また、前記取付板３４は剛性の大きな任意の厚さの金属板で構成されるので、ブレード取付部３１の表面に多少の凹凸等があったとしても、ブレード部材３５に対しては平面状の支持部を形成できることになる。なお、前記取付板３４は、図７にもとづいて後で説明するように、薄くて剛性の大きい金属板で構成する板部材を複数枚重ねる状態で設けることができる。
【００２５】
前記ブレード部材３５の表面側に位置される保持部材３８は、比較的厚い金属板で構成され、大きな剛性を発揮できるものとされる。前記保持部材３８の本体の上部には、図６（ｃ）に示されるように、折曲げ部３８ａを所定の長さで突出させるように設けており、ブレード取付部３１の表面と上面とを覆う状態に設けられている。なお、前記保持部材３８の側部には、電極部材４２を突出させて設けており、画像記録装置の記録部の側部で、装置本体に設けている図示を省略する給電用端子に接触して、ブレード部材３５に対して所定の値の電圧を印加させるために用いる。前記保持部材３８は、前記ブレード部材３５および取付板３４よりも巾の広いものとして構成されて、ブレード取付部３１に接する取付板３４と、その上に重ねられているブレード部材３５に対して、その両端部のブレード取付部３１でより広くカバーするように設けられる。
【００２６】
そして、前記図６（ａ）ないし（ｃ）に説明しているように、シール部材と板部材を順次重ねて配置してから、固定ネジ３３ａにより固定するもので、前記各板部材をブレード取付部３１とともに貫通させる固定ネジ３３ａは、前記各板部材に設けたネジ孔４１……を介して取り付けられる。そのために、前記各板部材３４、３５、３８の各々は、ネジ孔４１……が各々重なるように位置決めされて設けられる。また、前記横１列に配置する複数のネジ孔のうち、所定の位置に設けるネジ孔は長孔４１ａとして形成しておき、ブレード取付部３１のネジ孔（図示を省略）との整合性を良好に設定できるようにされる。なお、図６（ｃ）において、保持板３８の側部に設けた電極４２は、ブレード部材３５に対して電圧を印加するために用いるが、その電圧印加に関しては、本実施例の要旨ではないのでその説明は省略する。
【００２７】
前記ブレード部材３５により装置の開口部３０を封止する機構においては、以下に説明するようなシール部材等を配置して、現像装置の内部に収容されているトナーが、感光体ドラムの側に向けて漏れ出すことがないようにされる。前記ブレード固定部材の実施例において、ブレード部材３５を挟持するように配置される取付板３４と保持板３８は、その板の厚さを任意に設定できるものである。また、前記取付板３４を１枚とせずに、２枚又はそれ以上の数の板を重ねて配置し、ブレード部材に対する保持作用をより良好に発揮させるとともに、ブレード部材３５のネジ４０による固定部で、ブレード部材に凹凸が形成されないように位置決めして保持させることが可能である。例えば、図７に示すように、前記取付板３４に重ねて、追加の板３４ａ、３４ｂを配置して、ブレード取付部３１の表面の凹凸等を、前記重ねた取付板により補償できるようにする。なお、前記ブレード３５の表面側から押圧保持する保持板３８に対して、前記取付板３４と同様な剛性の大きい金属板をブレード３５との間に挿入して、保持部材３８による押圧・保持作用を補助させることもでき、前記金属板の薄いものを複数枚重ねて設ける等の手段を用いることで、前記取付板と同様な効果を奏することが可能である。
【００２８】
なお、前記ブレードの取付に際して、補助的に用いる板部材に対しては、前記図６に示しているように、ネジを装着するネジ孔を横に長い孔として設ける等の、調整可能な係止手段を用いれば、各装着部材を重ねて位置合わせする動作を容易に行うことが可能となる。したがって、前述したようにして、ブレード部材３５の上部をネジ４０で固定保持させるに際して、装置フレームのプラスチック製のブレード固定部材の支持表面に若干の凹凸や製作誤差等があっても、ブレード部材の保持状態を良好に設定できる。そして、現像ローラに当接させるブレード部材の自由側端部を押圧する作用を良好に発揮できて、現像ローラの表面に形成するトナーの薄層を均一な厚さに形成可能となる。
【００２９】
前述したように、前記ブレード固定部材の実施例において、ブレード部材３５を挟持するように配置される取付板と保持板は、その板の厚さを任意に設定できるものである。また、前記取付板と保持板の各々の板を１枚ずつではなしに、２枚又はそれ以上の数の板を重ねて配置し、ブレード部材に対する保持作用をより良好に発揮させるとともに、ブレード部材３５のネジ固定部で、ブレード部材に凹凸が形成されないように位置決めして保持させることが可能である。したがって、前述したようにして、ブレード部材３５の上部をネジで固定保持させるに際して、プラスチック製のブレード固定部材の支持表面に若干の製作誤差等があっても、ブレード部材の保持状態を良好に設定でき、現像ローラに当接させるブレード部材の自由側端部を押圧する作用を良好に発揮できて、現像ローラの表面に形成するトナーの薄層を均一な厚さに形成可能となる。
【００３０】
【発明の効果】
本発明の装置は、前述したように構成したものであるから、層厚規制部材としてのブレード部材を、現像装置のフレームに対して高剛性を有する複数枚の取付板で挟持して支持させることにより、ブレード部材の上部のネジ固定部での保持を良好に行い得て、ブレード部材の下端部の現像ローラに対する押圧力を均一に設定できる。また、前記層厚規制部材を挟持する複数枚の取付板は、その重ねる枚数を調整することにより、層厚規制部材の現像ローラに対する押圧力を調整可能とし、ブレード部材の取り付け部の信頼性をより向上させることができる。さらに、ブレード部材をバネ性を有する金属板で構成し、前記ブレード部材の両端部にはトナーシール手段を連続させるように設けることと、現像装置フレームの開口側部に設けたシール手段と、ブレード部材の側部のシール部材とにより、トナーが漏れ出すことを阻止する作用を発揮できる。
【図面の簡単な説明】
【図１】画像記録装置の構成を示す説明図である。
【図２】記録部の構成を示す説明図である。
【図３】２つのユニットを組み合わせる状態の説明図である。
【図４】現像装置のシールの関係を示す説明図である。
【図５】現像装置の開口部に配置するブレード部材の支持構造の説明図である。
【図６】（ａ）ないし（ｃ）は、各々ブレードとシール部材の関係を示す説明図である。
【図７】ブレードの取付構造の説明図である。
【符号の説明】
１　　画像記録装置、　２　　給紙部、　３　　給紙トレイ、
４　　給紙ローラ、　５　　用紙搬送路、　５ａ・５ｂ　　搬送ローラ装置、
６　　手差しトレイ、　７　　記録部、　８　　定着装置、
９　　排出ローラ装置、　１０　　感光体ユニット、
１１　　ユニットフレーム、　１２　　感光体ドラム、　１３　　ドラム軸、
１４　　メモリ除去部材、　１５　　帯電部材、　１６　　書き込み部材、
１７　　転写ローラ、　２０　　現像器ユニット、
２１　　ユニットフレーム、　２２　　トナーホッパ、　２３　　パドル、
２４　　供給ローラ、　２５　　現像ローラ、　２６　　ブレード取付部、
２７　　接続部ホルダ、　２８　　溝、　３０　　開口部、
３１　　ブレード固定部材、　３０　　開口部、　３１　　ブレード取付部、３２　　シール部材、　３３　　ブレード保持部材、　３３ａ　　固定ネジ、
３４　　取付板、　３５　　ブレード部材、　３６　　側フィルム、
３７　　シール部材、　３８　　保持部材、　３９　　表面側フィルム、
４１　　ネジ孔、　４２　　電極。
【図１】
2004139019.tif 000003
【図２】
2004139019.tif 000004
【図３】
2004139019.tif 000005
【図４】
2004139019.tif 000006
【図５】
2004139019.tif 000007
【図６】
2004139019.tif 000008
【図７】
2004139019.tif 000009